(57)【要約】【課題】顧客のクレジットカード情報に予め関連付けられた識別情報によって決済処理を実行するシステムであって、識別情報に拡張性を持たせて、複数の加盟店で利用可能なシステムを提供する。【解決手段】店舗端末２が顧客情報管理装置１に対し、リーダ２ｂによってＩＣタグ４から読み取った顧客ＩＤを送信すると、顧客情報管理装置１は顧客情報記憶部１１を参照して、顧客ＩＤに対応したカード情報を抽出し、店舗端末２に送信する。店舗端末２が信用情報管理装置３に対し、与信照会要求と共に、カード情報、与信要求情報、及び加盟店識別情報を送信すると、信用情報管理装置３は、信用情報記憶部３１及び取引情報記憶部３２を参照して、カード情報に基づく取引に対する与信の可否を判断し、判断結果を店舗端末２に送信する。与信照会の結果、取引に対する与信が承認されると、顧客に提供される商品又は役務の対価に係る決済額の精算が実行される。【選択図】図１
2014032517.tif 000002
【特許請求の範囲】
【請求項１】
クレジットカードによる取引に対する与信の承認を与える信用情報管理装置と、加盟店の店舗に設置され、ＩＣタグに格納された情報を読み取るリーダが接続された店舗端末と、顧客のクレジットカード情報を管理する顧客情報管理装置と、がネットワークを介して通信可能に構成され、ＩＣタグに格納された顧客を一意に識別可能な顧客識別情報により、顧客に提供される商品又は役務の対価を決済するシステムであって、
上記店舗端末は、
上記顧客から、上記ＩＣタグの提示と共に、当該ＩＣタグに格納された顧客識別情報と関連付けて登録されているクレジットカードによる、上記顧客に提供される商品又は役務の対価の決済処理要求を受け付けた際に、上記リーダにより、上記ＩＣタグから、上記顧客識別情報を読み取る情報読取手段と、
上記顧客情報管理装置に対し、上記顧客識別情報に対応したクレジットカードのカード情報の取得要求と共に、上記顧客識別情報を送信する顧客識別情報送信手段と、
上記顧客情報管理装置から、上記顧客識別情報に対応したクレジットカードのカード情報を受信するカード情報受信手段と、
上記信用情報管理装置に対し、上記カード情報によって特定されたクレジットカードによる取引の与信照会要求と共に、上記カード情報、与信を要求する内容に係る与信要求情報、及び上記店舗の加盟店識別情報を送信する与信照会要求送信手段と、
上記信用情報管理装置から、上記カード情報によって特定されたクレジットカードによる取引に対する与信の可否の判断結果を受信する判断結果受信手段と、
上記与信照会の結果、上記クレジットカードによる取引に対する与信が承認されたときに、上記顧客に提供される商品又は役務の対価に係る決済額の精算を実行する精算処理手段と、を有し、
上記顧客情報管理装置は、
上記カード情報と上記顧客識別情報を関連付けて記憶する顧客情報記憶手段と、
上記店舗端末から、上記顧客識別情報に対応したクレジットカードのカード情報の取得要求と共に、上記顧客識別情報を受信する顧客識別情報受信手段と、
上記顧客情報記憶手段を参照して、上記顧客識別情報と関連付けられたカード情報を抽出するカード情報抽出手段と、
上記店舗端末に対して、上記抽出したカード情報を送信するカード情報送信手段と、を有し、
上記信用情報管理装置は、
上記クレジットカードの信用情報を記憶する信用情報記憶手段と、
上記加盟店識別情報ごとに、上記加盟店に対して許容される決済内容の条件に関する取引条件情報を関連付けて記憶する取引情報記憶手段と、
上記店舗端末から、上記カード情報によって特定されたクレジットカードによる取引の与信照会要求と共に、上記カード情報、上記与信要求情報、及び上記加盟店識別情報を受信する与信照会要求受信手段と、
上記信用情報記憶手段及び上記取引情報記憶手段を参照して、上記カード情報、上記与信要求情報、及び上記加盟店識別情報に基づき、上記クレジットカードによる取引に対する与信の可否を判断する与信可否判断手段と、
上記店舗端末に対して、上記クレジットカードによる取引に対する与信の可否の判断結果を送信する判断結果送信手段と、を有する、
ことを特徴とする決済処理システム。
【請求項２】
上記店舗端末は、
上記顧客識別情報送信手段が、上記顧客情報管理装置に対し、上記顧客識別情報に対応したクレジットカードのカード情報の取得要求と共に、上記顧客識別情報と上記加盟店識別情報を送信し、
上記顧客情報管理装置は、
上記顧客識別情報に基づくクレジットカードの利用について、上記顧客識別情報ごとに、上記加盟店における、上記顧客識別情報に対応したクレジットカードの利用の承認の有無を記憶する承認情報記憶手段と、
上記店舗端末から上記顧客識別情報に対応したクレジットカードのカード情報の取得要求と共に受信した上記顧客識別情報と上記加盟店識別情報に基づき、上記承認情報記憶手段を参照して、上記顧客識別情報に係る顧客が、上記加盟店識別情報に係る加盟店における、上記顧客識別情報に基づくクレジットカードの利用を承認しているか否かを判断する承認有無判別手段と、をさらに有し、
上記顧客識別情報受信手段が、上記店舗端末から、上記顧客識別情報に対応したクレジットカードのカード情報の取得要求と共に、上記顧客識別情報と上記加盟店識別情報を受信し、
カード情報抽出手段が、上記承認有無判別手段による判別の結果、上記顧客識別情報に係る顧客が、上記加盟店識別情報に係る加盟店において、上記顧客識別情報に基づくクレジットカードの利用を承認しているものと判別されたときに、上記顧客情報記憶手段を参照して、上記顧客識別情報と関連付けられて記憶されているカード情報を抽出する、
請求項１記載の決済処理システム。
【請求項３】
上記リーダは、上記情報読取手段による顧客識別情報の読み取りの都度、無線機能を有効化して、上記ＩＣタグに格納された顧客識別情報の読み取りを行うための電波を受発信し、上記顧客識別情報の読み取りを実行する、
請求項１記載の決済処理システム。
【請求項４】
上記ＩＣタグは、キーホルダに取り付けられている、
請求項１乃至３いずれかの項に記載の決済処理システム。
【請求項５】
上記ＩＣタグは、上記顧客が利用する携帯端末に内蔵されている、
請求項１乃至３いずれかの項に記載の決済処理システム。
【請求項６】
顧客のクレジットカードの信用情報を記憶する信用情報記憶手段と、加盟店を識別する加盟店識別情報ごとに、上記加盟店に対して許容される決済内容の条件に関する取引条件情報を関連付けて記憶する取引情報記憶手段と、を有し、クレジットカードによる取引に対する与信の承認を与える信用情報管理装置と、上記加盟店の店舗に設置され、ＩＣタグに格納された情報を読み取るリーダが接続された店舗端末と、上記クレジットカードのカード情報と上記ＩＣタグに格納された顧客を一意に識別可能な顧客識別情報を関連付けて記憶する顧客情報記憶手段と、を有し、顧客のクレジットカード情報を管理する顧客情報管理装置と、がネットワークを介して通信可能に構成されたシステムにより、
上記ＩＣタグに格納された顧客識別情報により、顧客に提供される商品又は役務の対価を決済する方法であって、
上記店舗端末は、
上記顧客から、上記ＩＣタグの提示と共に、当該ＩＣタグに格納された顧客識別情報と関連付けて登録されているクレジットカードによる、上記顧客に提供される商品又は役務の対価の決済処理要求を受け付けた際に、上記リーダにより、上記ＩＣタグから、上記顧客識別情報を読み取る処理と、
上記顧客情報管理装置に対し、上記顧客識別情報に対応したクレジットカードのカード情報の取得要求と共に、上記顧客識別情報を送信する処理と、
上記顧客情報管理装置から、上記顧客識別情報に対応したクレジットカードのカード情報を受信する処理と、
上記信用情報管理装置に対し、上記カード情報によって特定されたクレジットカードによる取引の与信照会要求と共に、上記カード情報、与信を要求する内容に係る与信要求情報、及び上記店舗の加盟店識別情報を送信する処理と、
上記信用情報管理装置から、上記カード情報によって特定されたクレジットカードによる取引に対する与信の可否の判断結果を受信する処理と、
上記与信照会の結果、上記クレジットカードによる取引に対する与信が承認されたときに、上記顧客に提供される商品又は役務の対価に係る決済額の精算を実行する処理と、を実行し、
上記顧客情報管理装置は、
上記店舗端末から、上記顧客識別情報に対応したクレジットカードのカード情報の取得要求と共に、上記顧客識別情報を受信する処理と、
上記顧客情報記憶手段を参照して、上記顧客識別情報と関連付けられたカード情報を抽出する処理と、
上記店舗端末に対して、上記抽出したカード情報を送信する処理と、を実行し、
上記信用情報管理装置は、
上記店舗端末から、上記カード情報によって特定されたクレジットカードによる取引の与信照会要求と共に、上記カード情報、上記与信要求情報、及び上記加盟店識別情報を受信する処理と、
上記信用情報記憶手段及び上記取引情報記憶手段を参照して、上記カード情報、上記与信要求情報、及び上記加盟店識別情報に基づき、上記クレジットカードによる取引に対する与信の可否を判断する処理と、
上記店舗端末に対して、上記クレジットカードによる取引に対する与信の可否の判断結果を送信する処理と、を実行する、
ことを特徴とする決済処理方法。
【請求項７】
顧客のクレジットカードの信用情報を記憶する信用情報記憶手段と、上記加盟店を識別する加盟店識別情報ごとに、上記加盟店に対して許容される決済内容の条件に関する取引条件情報を関連付けて記憶する取引情報記憶手段と、を有し、クレジットカードによる取引に対する与信の承認を与える信用情報管理装置と、上記加盟店の店舗に設置され、ＩＣタグに格納された情報を読み取るリーダが接続された店舗端末と、上記クレジットカードのカード情報と上記ＩＣタグに格納された顧客を一意に識別可能な顧客識別情報を関連付けて記憶する顧客情報記憶手段と、を有し、顧客のクレジットカード情報を管理する顧客情報管理装置と、がネットワークを介して通信可能に構成されたシステムを、
上記ＩＣタグに格納された顧客識別情報により、顧客に提供される商品又は役務の対価を決済する決済処理システムとして機能させるためのプログラムであって、
上記店舗端末に対し、
上記顧客から、上記ＩＣタグの提示と共に、当該ＩＣタグに格納された顧客識別情報と関連付けて登録されているクレジットカードによる、上記顧客に提供される商品又は役務の対価の決済処理要求を受け付けた際に、上記リーダにより、上記ＩＣタグから、上記顧客識別情報を読み取る処理と、
上記顧客情報管理装置に対し、上記顧客識別情報に対応したクレジットカードのカード情報の取得要求と共に、上記顧客識別情報を送信する処理と、
上記顧客情報管理装置から、上記顧客識別情報に対応したクレジットカードのカード情報を受信する処理と、
上記信用情報管理装置に対し、上記カード情報によって特定されたクレジットカードによる取引の与信照会要求と共に、上記カード情報、与信を要求する内容に係る与信要求情報、及び上記店舗の加盟店識別情報を送信する処理と、
上記信用情報管理装置から、上記カード情報によって特定されたクレジットカードによる取引に対する与信の可否の判断結果を受信する処理と、
上記与信照会の結果、上記クレジットカードによる取引に対する与信が承認されたときに、上記顧客に提供される商品又は役務の対価に係る決済額の精算を実行する処理と、
上記顧客情報管理装置に対し、上記カード情報と、上記精算された決済金額情報を送信する処理と、を実行させ、
上記顧客情報管理装置に対し、
上記店舗端末から、上記顧客識別情報に対応したクレジットカードのカード情報の取得要求と共に、上記顧客識別情報を受信する処理と、
上記顧客情報記憶手段を参照して、上記顧客識別情報と関連付けられたカード情報を抽出する処理と、
上記店舗端末に対して、上記抽出したカード情報を送信する処理と、を実行させ、
上記信用情報管理装置に対し、
上記店舗端末から、上記カード情報によって特定されたクレジットカードによる取引の与信照会要求と共に、上記カード情報と、上記与信要求情報、及び上記加盟店識別情報を受信する処理と、
上記信用情報記憶手段及び上記取引情報記憶手段を参照して、上記カード情報、上記与信要求情報、及び上記加盟店識別情報に基づき、上記クレジットカードによる取引に対する与信の可否を判断する処理と、
上記店舗端末に対して、上記クレジットカードによる取引に対する与信の可否の判断結果を送信する処理と、を実行させる、
コンピュータプログラム。
【発明の詳細な説明】
【技術分野】
【０００１】
本発明は、予め登録しておいたクレジットカードのカード情報に基づいて決済を行う技術に関する。
【背景技術】
【０００２】
従来、スーパーや百貨店といった小売店等において、商品やサービスの購入にクレジットカードが広く利用されている。特に近年では、様々なカードにクレジット機能が付けられており、顧客は多くのクレジットカードを所持している。
しかしながら、多くのクレジットカードを所持していても、クレジットカードの利用に対して付与されるポイントを効率よく貯めるためといった理由等で、実際にメインのカードとして利用するクレジットカードは決まっていることが多い。
【０００３】
他方、店舗におけるクレジットカードの利用に際しては、クレジットカードを店舗スタッフに預けたりしているが、顧客に安心してクレジットカードを利用してもらえるようにするには、店舗スタッフによるスキミング対策なども含め、十分な配慮がなされていることが望ましい。
【０００４】
この点、特許文献１では、所定の決済方法を予め登録しておき、当該決済方法に即した決済を可能としたシステムが提案されている。このシステムでは、顧客のトランスポンダから顧客ＩＤがＰＯＳに取り込まれると、当該顧客ＩＤを受信したホストコンピュータが、予め登録されていた決済方法を確認した上、当該決済方法による決済を決済処理センターに要求する。これにより、顧客のクレジットカード番号等が小売店の従業員に把握されるリスクをなくすと共に、予め決められた決済方法による決済を可能とすることで、会員顧客の利便性を向上させている。
【０００５】
また、特許文献２では、利用者が所有するクレジットカードのクレジットカード番号に対応付けられたＩＤを記録したＩＤリンク決済カードによって決済を行うシステムが提案されている。このシステムでは、カードリーダによってＩＤリンク決済カードからＩＤを取得すると、当該ＩＤをＩＤ変換センターシステムでクレジットカード番号に変換した上、ＩＤ変換センターシステムから当該クレジットカード決済処理システムに当該クレジットカード番号を送信して、決済処理を実行させる。このように、利用者に対して優待証明やハウスカード自体を発行することなく、利用者が元々所有していたクレジットカードにＩＤを対応付けることで、ＩＤリンク決済カードの利用によって優遇対象の利用者を識別して優遇し、顧客を囲い込めるようにしている。
【先行技術文献】
【特許文献】
【０００６】
【特許文献１】特許第４８６１６０４号公報
【特許文献２】特開２００６−２３８４３号公報
【発明の概要】
【発明が解決しようとする課題】
【０００７】
上記特許文献１、２記載のシステムはいずれも、所定の識別情報と予め関連付けられたクレジットカード情報によって決済を行うものであり、ＩＤ変換サーバ（上記ホストコンピュータ又は上記ＩＤ変換センターシステム）によって、所定の識別情報をクレジットカード情報に変換すると共に、当該クレジットカード情報を決済サーバ（上記決済処理センター又は上記クレジットカード決済処理システム）に送信している。
【０００８】
このように、ＩＤ変換サーバが、ＩＤとクレジットカード情報の変換と、決済サーバに対する与信照会の両処理を担うシステム構成をとる場合、決済に関する取引条件が同じ加盟店ごとにＩＤ変換サーバを用意しなければならない。即ち、加盟店ごとに決済に関する取引条件は異なるし、加盟店ごとに決済サーバの仕様が異なることもあるため、与信照会の処理を担うＩＤ変換サーバは、加盟店ごとに用意しなければならないことになる。
【０００９】
このようなシステム構成は、上記のＩＤ・カード情報変換システムを単独の加盟店でしか利用しない場合には良いが、決済に関する取引条件等が異なる複数の加盟店で当該ＩＤ・カード情報変換システムを利用できるようにしようとする場合には、加盟店ごとにＩＤ変換サーバを設置しなければならず、設備投資の負担が大きい。
また、加盟店ごとにＩＤ変換サーバを設置する場合に、当該ＩＤ・カード情報変換システムによるサービスを提供する複数の加盟店において、顧客が当該ＩＤ・カード情報変換システムを利用できるようにするためには、各加盟店に設置されたＩＤ変換サーバごとに、顧客のＩＤとクレジットカード情報の登録を行わなければならず、ＩＤに拡張性がなかった。
【００１０】
そこで、本発明は、顧客のクレジットカード情報に予め関連付けられた識別情報によって決済処理を実行するシステムであって、識別情報に拡張性を持たせて、取引条件の異なる複数の加盟店で利用可能なシステムを提供することを目的とする。
【課題を解決するための手段】
【００１１】
上記目的を達成するため、本発明の一の観点に係る決済処理システムは、クレジットカードによる取引に対する与信の承認を与える信用情報管理装置と、加盟店の店舗に設置され、ＩＣタグに格納された情報を読み取るリーダが接続された店舗端末と、顧客のクレジットカード情報を管理する顧客情報管理装置と、がネットワークを介して通信可能に構成され、ＩＣタグに格納された顧客を一意に識別可能な顧客識別情報により、顧客に提供される商品又は役務の対価を決済するシステムであって、上記店舗端末は、上記顧客から、上記ＩＣタグの提示と共に、当該ＩＣタグに格納された顧客識別情報と関連付けて登録されているクレジットカードによる、上記顧客に提供される商品又は役務の対価の決済処理要求を受け付けた際に、上記リーダにより、上記ＩＣタグから、上記顧客識別情報を読み取る情報読取手段と、上記顧客情報管理装置に対し、上記顧客識別情報に対応したクレジットカードのカード情報の取得要求と共に、上記顧客識別情報を送信する顧客識別情報送信手段と、上記顧客情報管理装置から、上記顧客識別情報に対応したクレジットカードのカード情報を受信するカード情報受信手段と、上記信用情報管理装置に対し、上記カード情報によって特定されたクレジットカードによる取引の与信照会要求と共に、上記カード情報、与信を要求する内容に係る与信要求情報、及び上記店舗の加盟店識別情報を送信する与信照会要求送信手段と、上記信用情報管理装置から、上記カード情報によって特定されたクレジットカードによる取引に対する与信の可否の判断結果を受信する判断結果受信手段と、上記与信照会の結果、上記クレジットカードによる取引に対する与信が承認されたときに、上記顧客に提供される商品又は役務の対価に係る決済額の精算を実行する精算処理手段と、を有し、上記顧客情報管理装置は、上記カード情報と上記顧客識別情報を関連付けて記憶する顧客情報記憶手段と、上記店舗端末から、上記顧客識別情報に対応したクレジットカードのカード情報の取得要求と共に、上記顧客識別情報を受信する顧客識別情報受信手段と、上記顧客情報記憶手段を参照して、上記顧客識別情報と関連付けられたカード情報を抽出するカード情報抽出手段と、上記店舗端末に対して、上記抽出したカード情報を送信するカード情報送信手段と、を有し、上記信用情報管理装置は、上記クレジットカードの信用情報を記憶する信用情報記憶手段と、上記加盟店識別情報ごとに、上記加盟店に対して許容される決済内容の条件に関する取引条件情報を関連付けて記憶する取引情報記憶手段と、上記店舗端末から、上記カード情報によって特定されたクレジットカードによる取引の与信照会要求と共に、上記カード情報、上記与信要求情報、及び上記加盟店識別情報を受信する与信照会要求受信手段と、上記信用情報記憶手段及び上記取引情報記憶手段を参照して、上記カード情報、上記与信要求情報、及び上記加盟店識別情報に基づき、上記クレジットカードによる取引に対する与信の可否を判断する与信可否判断手段と、上記店舗端末に対して、上記クレジットカードによる取引に対する与信の可否の判断結果を送信する判断結果送信手段と、を有することを特徴とする。
【００１２】
また、上記店舗端末は、上記顧客識別情報送信手段が、上記顧客情報管理装置に対し、上記顧客識別情報に対応したクレジットカードのカード情報の取得要求と共に、上記顧客識別情報と上記加盟店識別情報を送信し、上記顧客情報管理装置は、上記顧客識別情報に基づくクレジットカードの利用について、上記顧客識別情報ごとに、上記加盟店における、上記顧客識別情報に対応したクレジットカードの利用の承認の有無を記憶する承認情報記憶手段と、上記店舗端末から上記顧客識別情報に対応したクレジットカードのカード情報の取得要求と共に受信した上記顧客識別情報と上記加盟店識別情報に基づき、上記承認情報記憶手段を参照して、上記顧客識別情報に係る顧客が、上記加盟店識別情報に係る加盟店における、上記顧客識別情報に基づくクレジットカードの利用を承認しているか否かを判断する承認有無判別手段と、をさらに有し、上記顧客識別情報受信手段が、上記店舗端末から、上記顧客識別情報に対応したクレジットカードのカード情報の取得要求と共に、上記顧客識別情報と上記加盟店識別情報を受信し、カード情報抽出手段が、上記承認有無判別手段による判別の結果、上記顧客識別情報に係る顧客が、上記加盟店識別情報に係る加盟店において、上記顧客識別情報に基づくクレジットカードの利用を承認しているものと判別されたときに、上記顧客情報記憶手段を参照して、上記顧客識別情報と関連付けられて記憶されているカード情報を抽出するものとしてもよい。
【００１３】
また、上記リーダは、上記情報読取手段による顧客識別情報の読み取りの都度、無線機能を有効化して、上記ＩＣタグに格納された顧客識別情報の読み取りを行うための電波を受発信し、上記顧客識別情報の読み取りを実行するものとしてもよい。
【００１４】
また、上記ＩＣタグは、キーホルダに取り付けられているものとしてもよい。
【００１５】
また、上記ＩＣタグは、上記顧客が利用する携帯端末に内蔵されているものとしてもよい。
【００１６】
また、本発明の別の観点に係る決済処理方法は、顧客のクレジットカードの信用情報を記憶する信用情報記憶手段と、加盟店を識別する加盟店識別情報ごとに、上記加盟店に対して許容される決済内容の条件に関する取引条件情報を関連付けて記憶する取引情報記憶手段と、を有し、クレジットカードによる取引に対する与信の承認を与える信用情報管理装置と、上記加盟店の店舗に設置され、ＩＣタグに格納された情報を読み取るリーダが接続された店舗端末と、上記クレジットカードのカード情報と上記ＩＣタグに格納された顧客を一意に識別可能な顧客識別情報を関連付けて記憶する顧客情報記憶手段と、を有し、顧客のクレジットカード情報を管理する顧客情報管理装置と、がネットワークを介して通信可能に構成されたシステムにより、上記ＩＣタグに格納された顧客識別情報により、顧客に提供される商品又は役務の対価を決済する方法であって、上記店舗端末は、上記顧客から、上記ＩＣタグの提示と共に、当該ＩＣタグに格納された顧客識別情報と関連付けて登録されているクレジットカードによる、上記顧客に提供される商品又は役務の対価の決済処理要求を受け付けた際に、上記リーダにより、上記ＩＣタグから、上記顧客識別情報を読み取る処理と、上記顧客情報管理装置に対し、上記顧客識別情報に対応したクレジットカードのカード情報の取得要求と共に、上記顧客識別情報を送信する処理と、上記顧客情報管理装置から、上記顧客識別情報に対応したクレジットカードのカード情報を受信する処理と、上記信用情報管理装置に対し、上記カード情報によって特定されたクレジットカードによる取引の与信照会要求と共に、上記カード情報、与信を要求する内容に係る与信要求情報、及び上記店舗の加盟店識別情報を送信する処理と、上記信用情報管理装置から、上記カード情報によって特定されたクレジットカードによる取引に対する与信の可否の判断結果を受信する処理と、上記与信照会の結果、上記クレジットカードによる取引に対する与信が承認されたときに、上記顧客に提供される商品又は役務の対価に係る決済額の精算を実行する処理と、を実行し、上記顧客情報管理装置は、上記店舗端末から、上記顧客識別情報に対応したクレジットカードのカード情報の取得要求と共に、上記顧客識別情報を受信する処理と、上記顧客情報記憶手段を参照して、上記顧客識別情報と関連付けられたカード情報を抽出する処理と、上記店舗端末に対して、上記抽出したカード情報を送信する処理と、を実行し、上記信用情報管理装置は、上記店舗端末から、上記カード情報によって特定されたクレジットカードによる取引の与信照会要求と共に、上記カード情報、上記与信要求情報、及び上記加盟店識別情報を受信する処理と、上記信用情報記憶手段及び上記取引情報記憶手段を参照して、上記カード情報、上記与信要求情報、及び上記加盟店識別情報に基づき、上記クレジットカードによる取引に対する与信の可否を判断する処理と、上記店舗端末に対して、上記クレジットカードによる取引に対する与信の可否の判断結果を送信する処理と、を実行することを特徴とする。
【００１７】
また、本発明のさらに別の観点に係るコンピュータプログラムは、顧客のクレジットカードの信用情報を記憶する信用情報記憶手段と、上記加盟店を識別する加盟店識別情報ごとに、上記加盟店に対して許容される決済内容の条件に関する取引条件情報を関連付けて記憶する取引情報記憶手段と、を有し、クレジットカードによる取引に対する与信の承認を与える信用情報管理装置と、上記加盟店の店舗に設置され、ＩＣタグに格納された情報を読み取るリーダが接続された店舗端末と、上記クレジットカードのカード情報と上記ＩＣタグに格納された顧客を一意に識別可能な顧客識別情報を関連付けて記憶する顧客情報記憶手段と、を有し、顧客のクレジットカード情報を管理する顧客情報管理装置と、がネットワークを介して通信可能に構成されたシステムを、上記ＩＣタグに格納された顧客識別情報により、顧客に提供される商品又は役務の対価を決済する決済処理システムとして機能させるためのプログラムであって、上記店舗端末に対し、上記顧客から、上記ＩＣタグの提示と共に、当該ＩＣタグに格納された顧客識別情報と関連付けて登録されているクレジットカードによる、上記顧客に提供される商品又は役務の対価の決済処理要求を受け付けた際に、上記リーダにより、上記ＩＣタグから、上記顧客識別情報を読み取る処理と、上記顧客情報管理装置に対し、上記顧客識別情報に対応したクレジットカードのカード情報の取得要求と共に、上記顧客識別情報を送信する処理と、上記顧客情報管理装置から、上記顧客識別情報に対応したクレジットカードのカード情報を受信する処理と、上記信用情報管理装置に対し、上記カード情報によって特定されたクレジットカードによる取引の与信照会要求と共に、上記カード情報、与信を要求する内容に係る与信要求情報、及び上記店舗の加盟店識別情報を送信する処理と、上記信用情報管理装置から、上記カード情報によって特定されたクレジットカードによる取引に対する与信の可否の判断結果を受信する処理と、上記与信照会の結果、上記クレジットカードによる取引に対する与信が承認されたときに、上記顧客に提供される商品又は役務の対価に係る決済額の精算を実行する処理と、上記顧客情報管理装置に対し、上記カード情報と、上記精算された決済金額情報を送信する処理と、を実行させ、上記顧客情報管理装置に対し、上記店舗端末から、上記顧客識別情報に対応したクレジットカードのカード情報の取得要求と共に、上記顧客識別情報を受信する処理と、上記顧客情報記憶手段を参照して、上記顧客識別情報と関連付けられたカード情報を抽出する処理と、上記店舗端末に対して、上記抽出したカード情報を送信する処理と、を実行させ、上記信用情報管理装置に対し、上記店舗端末から、上記カード情報によって特定されたクレジットカードによる取引の与信照会要求と共に、上記カード情報と、上記与信要求情報、及び上記加盟店識別情報を受信する処理と、上記信用情報記憶手段及び上記取引情報記憶手段を参照して、上記カード情報、上記与信要求情報、及び上記加盟店識別情報に基づき、上記クレジットカードによる取引に対する与信の可否を判断する処理と、上記店舗端末に対して、上記クレジットカードによる取引に対する与信の可否の判断結果を送信する処理と、を実行させる。
【発明の効果】
【００１８】
本発明によれば、顧客識別情報とカード情報の変換処理と、与信照会の処理が切り分けられ、店舗端末側から与信照会が行われる。その結果、顧客識別情報に拡張性を持たせることができ、顧客のクレジットカード情報を一度登録するだけで、取引条件の異なる複数の加盟店で顧客識別情報を利用することができる。
【図面の簡単な説明】
【００１９】
【図１】本発明の実施形態に係る決済処理システムが備える機能を示した機能ブロック図である。
【図２】本実施形態に係る決済処理システムにおいて、顧客情報記憶部に記憶されるデータの一例を示した図である。
【図３】本実施形態に係る決済処理システムにおいて、承認情報記憶部に記憶されるデータの一例を示した図である。
【図４】本実施形態に係る決済処理システムにおいて、信用情報記憶部に記憶されるデータの一例を示した図である。
【図５】本実施形態に係る決済処理システムにおいて、取引情報記憶部に記憶されるデータの一例を示した図である。
【図６】本実施形態に係る決済処理システムにおいて、決済時に必要となる情報を登録する処理の流れを示したシーケンス図である。
【図７】本実施形態に係る決済処理システムにおいて、決済時に必要となる情報を登録する処理の流れを示したシーケンス図である。
【図８】本実施形態に係る決済処理システムによる処理の流れを示したシーケンス図である。
【図９】本実施形態に係る決済処理システムによる処理の流れを示したシーケンス図である。
【図１０】本実施形態に係る決済処理システムによる処理の流れを示したシーケンス図である。
【図１１】本発明の別の実施形態に係る決済処理システムが備える機能を示した機能ブロック図である。
【図１２】本発明のさらに別の実施形態に係る決済処理システムが備える機能を示した機能ブロック図である。
【発明を実施するための形態】
【００２０】
次に、本発明の実施形態に係る決済処理システムについて、図を参照して説明する。
図１に示されるように、本実施形態に係る決済処理システムは、顧客情報管理装置１、店舗端末２、信用情報管理装置３、及びＩＣタグ４により構成される。
このうち、顧客情報管理装置１、店舗端末２、及び信用情報管理装置３は、インターネット等のネットワークＮＷを介して通信可能に構成されている。
【００２１】
なお、本実施形態では、店舗端末２やＩＣタグ４は一つずつしか示していないが、実際には店舗の数に応じて複数の店舗端末２が存在し、また、本実施形態に係る決済処理システムを利用する顧客の数に応じて複数のＩＣタグ４が存在する。さらに、信用情報管理装置３についても、種類の異なるクレジットカードを発行するクレジットカード会社ごとに複数の信用情報管理装置３が存在する場合もある。
【００２２】
顧客情報管理装置１は、顧客に提供した商品又は役務の対価を決済するために必要な顧客の情報を記憶すると共に、必要に応じて各端末にこの情報を供給する装置である。
顧客情報管理装置１は、CPU（Central Processing Unit）、CPUが実行するコンピュータプログラム、コンピュータプログラムや所定のデータを記憶するRAM（Random Access Memory）やROM（Read Only Memory）、及びハードディスクドライブなどの外部記憶装置により、顧客情報記憶部１１、承認情報記憶部１２、承認有無判別部１３、抽出処理部１４、通信処理部１５からなる機能ブロックを構成する。
【００２３】
顧客情報記憶部１１は、顧客に商品又は役務を提供した後、これによる対価の決済を行うために必要な顧客の情報等を記憶した記憶部である。
この顧客情報記憶部１１には例えば、図２に示されるように、顧客情報として、顧客を識別するための顧客ＩＤ、クレジットカード番号と有効期限に係る情報を含むカード情報を関連付けて記憶することができる。
【００２４】
顧客ＩＤは、ＩＣタグ４に格納された情報であり、顧客を一意に識別することができる情報である。
クレジットカード番号は、本実施形態に係る決済処理システムに基づき、顧客に対して提供される商品又は役務の決済に用いられるクレジットカードの識別番号である。
なお、この顧客情報記憶部１１には、これらの情報に加えて、顧客の氏名や連絡先等の顧客関連情報を記憶できるようにしてもよい。例えば、クレジットカードの保有者である顧客を認証するための暗証番号等の情報を記憶しておき、クレジットカードの取扱いや管理等に関する情報を登録したり、変更したりする際に参照するものとしてもよい。
【００２５】
承認情報記憶部１２は、顧客情報記憶部１１に登録されたクレジットカードについて、顧客がいずれの加盟店において、本決済処理システムに基づくサービスの利用を承認したかに関する情報を記憶することができる記憶部である。
【００２６】
この承認情報記憶部１２には、図３に示されるように、顧客ＩＤごとに、加盟店における承認情報が関連付けて記憶されている。承認情報には、本決済処理システムに基づくサービスの加盟店を識別可能な加盟店ＩＤと、当該加盟店ＩＤごとに顧客から承認があったかを示す承認有無に関する情報が含まれる。
【００２７】
承認有無は、所定の加盟店ＩＤに係る加盟店について、本決済処理システムに基づくサービスの提供が顧客によって承認された場合に登録され、本実施形態では、顧客による承認があった日付をもって承認があったものとして登録される。
この承認有無を参照することにより、顧客が本決済処理システムに基づくサービスを加盟店で利用しようとする際、事前の承認が得られているか否かが判別される。
【００２８】
なお、承認情報記憶部１２には、顧客ＩＤごとに予めすべての加盟店ＩＤを関連付けておき、承認があったときに承認があった旨を登録するものとしてもよいが、承認があったときに加盟店ＩＤを顧客ＩＤに関連付けて登録するようにしてもよい。
【００２９】
承認有無判別部１３は、店舗端末２からカード情報の取得要求と共に、顧客ＩＤと、当該店舗端末２の加盟店ＩＤを受信した際に、承認情報記憶部１２を参照して、当該顧客ＩＤと加盟店ＩＤに基づき、顧客による事前承認が得られているか否かを判断する。
カード情報の取得要求を送信してきた店舗端末２を備える加盟店について、本決済処理システムに基づくサービスの提供が承認されていない場合には、店舗端末２に対して、顧客に承認を取り付けるための処理要求が送信される。
【００３０】
抽出処理部１４は、店舗端末２からの要求に応じて、顧客情報記憶部１１を参照して、顧客ＩＤと関連付けられたカード情報を抽出する処理を実行する。
【００３１】
通信処理部１５は、店舗端末２や信用情報管理装置３との間で、インターネット等のネットワークＮＷを介し、所定のプロトコルに従ってデータの送受信処理を実行する処理部である。
この通信処理部１５は例えば、ＰＯＳ端末２ａとの間で、ＩＣタグ４の顧客ＩＤ及び加盟店ＩＤと共に、当該顧客IDと関連付けられたクレジットカード番号と有効期限情報を含むカード情報の取得要求を受信したり、当該取得要求されたカード情報を送信したりする。
【００３２】
店舗端末２は、顧客に商品又は役務を提供する店舗に設置される端末である。
本実施形態における店舗は、特にその種類が限定されるものではなく、顧客に対して各種の商品や役務を提供する店をいう。また、本実施形態における店舗は、本決済処理システムに基づくサービスの加盟店を構成しており、当該店舗においては、加盟店ごとに定められた取引条件により、本決済処理システムに基づくサービスが顧客に提供される。
【００３３】
この店舗端末２は、ＰＯＳ端末２ａ、リーダ２ｂ、及びＣＡＴ端末２ｃから構成される。
これらの店舗端末２を構成するＰＯＳ端末２ａ、リーダ２ｂ、及びＣＡＴ端末２ｃは、所定の通信回線網を介して接続されており、相互にデータを送受することができる。
【００３４】
ＰＯＳ端末２ａ（point of sale system：販売時点情報管理）は、顧客に提供した商品又は役務による売上の会計を行うための端末である。
このＰＯＳ端末２ａは、CPU（Central Processing Unit）、CPUが実行するコンピュータプログラム、コンピュータプログラムや所定のデータを記憶するRAM（Random Access Memory）やROM（Read Only Memory）、及びハードディスクドライブなどの外部記憶装置により、精算処理部２１、通信処理部２２、入出力処理部２３からなる機能ブロックを構成する。
【００３５】
精算処理部２１は、顧客に提供した商品又は役務の対価を算出する処理を実行する。
この処理では商品又は役務の種類ごとの単価等を記憶した所定のテーブルを参照して、顧客に提供した商品又は役務の数量に応じた金額を算出する。
また、商品又は役務の対価の精算に応じてレシート等を発行する印刷処理手段を備えている。
【００３６】
通信処理部２２は、顧客情報管理装置１や信用情報管理装置３との間で、インターネット等のネットワークＮＷを介し、所定のプロトコルに従ってデータの送受信処理を実行する処理部である。
この通信処理部２２は例えば、顧客情報管理装置１との間で、クレジットカード番号と有効期限情報を含むカード情報の取得要求と共に、ＩＣタグ４の顧客ＩＤ、及び店舗が属する加盟店の加盟店ＩＤを送信したり、当該取得要求したカード情報を受信したりする。
【００３７】
入出力処理部２３は、データを入力するためのタッチパネル等によって構成される入力処理部と、データを出力するためのディスプレイやスピーカ等によって構成される出力処理部とからなる。
この入出力処理部２３は例えば、店舗が顧客から利用の事前承認が得られていない加盟店であった場合に、利用の承認を得るための画面を受付可能に出力したり、承認の入力を受け付けたりする。
【００３８】
リーダ２ｂは、ＩＣタグ４に記憶されている情報を読み取ることのできる装置であり、アンテナコイルと、このアンテナコイルの動作を制御するための交信制御装置とを有する。また、ＩＣタグ４から読み込んだ情報をＰＯＳ端末２ａやＣＡＴ端末２ｃに供給したりする通信処理部を備える。
【００３９】
このリーダ２ｂは、電磁波を送出することによってＩＣタグ４に誘導起電力を生じさせ、これによりＩＣタグ４側の制御機構を動作させる。そして、質問信号をＩＣタグ４に対して送信し、これに応じた応答信号をＩＣタグ４から受信することによって、ＩＣタグ４に格納された情報を読み取ることができる。
【００４０】
また、このリーダ２ｂは通常、ＩＣタグ４に誘導起電力を生じさせるための電磁波を送出したり、質問信号を送信あるいは応答信号を受信したりする無線機能を無効化させており、ＰＯＳ端末２ａから、識別情報記憶部４１に記憶されている顧客ＩＤの取得要求を受けたときに、その都度、当該無線機能を有効化して、所定の情報の読み取りを実行する。そして、読み取りを要求された情報をＰＯＳ端末２ａに供給することにより、ＰＯＳ端末２ａから要求された処理が終了すると、再び無線機能を無効化する。
【００４１】
なお、このリーダ２ｂは、情報の読み取り処理のみならず、書き込み処理を行うことができるリーダライタとして構成されていてもよく、暗証番号や支払い方法など、顧客ごとの設定情報を書き込んで、必要に応じて参照できるようにしてもよい。
また、このリーダ２ｂは常時、電磁波を送出して、ＩＣタグ４に格納された情報を読み取ることができるようになっていてもよい。
【００４２】
ＣＡＴ端末２ｃは、いわゆる信用照会端末（Credit Authorization Terminal）であり、クレジットカードの磁気ストライプの読取機能や、ネットワークＮＷを介して信用情報管理装置３と通信する通信機能などを備えている。そしてこれらの機能により、顧客が利用するクレジットカードの有効性を確認するため、カード情報に基づき、信用情報管理装置３に対して与信の照会を実行する。信用情報管理装置３から得られた与信の照会の結果は、ＰＯＳ端末２ａに供給される。
【００４３】
信用情報管理装置３は、クレジットカード会社等に設置された端末であって、クレジットカードに基づく取引について、与信の承認を与えるか否かに関する情報の処理を行う端末である。
この信用情報管理装置３は、CPU（Central Processing Unit）、CPUが実行するコンピュータプログラム、コンピュータプログラムや所定のデータを記憶するRAM（Random Access Memory）やROM（Read Only Memory）、及びハードディスクドライブなどの外部記憶装置により、信用情報記憶部３１、取引情報記憶部３２、与信可否判断部３３、通信処理部３４からなる機能ブロックを構成する。
【００４４】
信用情報記憶部３１は、顧客が利用するクレジットカードに関する信用情報を記憶する記憶部である。
この信用情報記憶部３１には例えば、図４に示されるように、カード情報を構成するクレジットカード番号ごとに、与信情報、属性情報、利用情報が相互に関連付けて記憶される。
【００４５】
与信情報は、クレジットカードの利用に対する与信の可否を判断するための情報であって、有効期限、限度枠、ブラックリストへの登録有無など、顧客ごとの与信可否を判断するための情報によって構成される。
属性情報は、クレジットカード保有者の属性に係る情報であって、保有者の氏名、住所、電話番号、生年月日、年収、勤務先などの情報によって構成される。
利用情報は、クレジットカードの利用履歴に関する情報であって、利用日時、利用額、利用加盟店などの情報によって構成される。この利用情報は、顧客が購入した商品又は役務について決済が完了し、当該決済に関する情報を受け付けた際に蓄積される。
【００４６】
取引情報記憶部３２は、本決済処理サービスに基づくサービスの加盟店になっている店舗に関する情報であって、加盟店ごとの与信可否を判断するための情報を記憶した記憶部である。
この取引情報記憶部３２には、図５に示されるように、加盟店を識別するための加盟店ＩＤごとに、加盟店詳細に関する加盟店情報、及び加盟店との取引条件に関する取引条件情報が関連付けて記憶されている。
【００４７】
加盟店情報には、加盟店の名称や連絡先等の情報のほか、加盟店に含まれる店舗の情報が含まれる。
取引条件情報には、顧客がクレジットカードを利用する際の条件であって、加盟店ごとに予め定められた条件に関する情報が含まれる。この取引条件情報には例えば、与信限度額や分割支払いの際の分割回数などが含まれるほか、キャッシング枠などが適宜含まれる。
この取引情報記憶部３２を参照することにより、店舗端末２が加盟店ＩＤと共に与信照会を行ってきた際、加盟店ごとの取引条件を参照して、与信を要求された内容が取引条件に合致するか否かを判別することができる。
【００４８】
与信可否判断部３３は、信用情報記憶部３１及び取引情報記憶部３２参照して、カード情報、与信要求情報、及び加盟店ＩＤに基づき、当該カード情報に係るクレジットカードによる取引に対する与信の可否を判断する機能部である。
この与信可否判断部３３は、カード情報と、与信を要求された内容に係る与信要求情報に基づき、信用情報記憶部３１に記憶されている与信情報や利用情報を参照して、クレジットカード番号により指定されたクレジットカードの有効期限が切れていないか、取引額が限度枠を超えていないか、ブラックリストに登録されていないかなど、顧客ごとの与信可否を判断する。また、加盟店ＩＤと与信要求情報に基づき、取引情報記憶部３２に記憶されている取引条件情報を参照して、分割払いが認められているかなど、加盟店ごとの与信可否を判断する。
【００４９】
通信処理部３４は、顧客情報管理装置１や店舗端末２との間で、インターネット等のネットワークＮＷを介し、所定のプロトコルに従ってデータの送受信処理を実行する処理部である。
この通信処理部３４は例えば、店舗端末２との間で、クレジットカードによる取引の与信照会要求と共に、カード情報、与信要求情報、及び加盟店ＩＤを受信したり、クレジットカードによる取引に対する与信の可否の判断結果を送信したりする。
【００５０】
ＩＣタグ４は、電子データを格納すると共に、リーダ２ｂから発信された電磁波を受けて所定の情報処理操作を実行できる、パッシブ方式の非接触型電子装置である。
このＩＣタグ４は、リーダ２ｂとの間で電磁波を受発信したり、受信した電磁波により誘導起電力を発生させたりするアンテナコイルや、制御ユニットとしてのCPU（Central Processing Unit）やEEPROM（Electrically Erasable Programmable Read-Only Memory）などのメモリをユニット化させたＩＣチップ等によって、識別情報記憶部４１、送受信処理部４２、情報処理部４３からなる機能部を構成する。
【００５１】
識別情報記憶部４１は、顧客を一意に特定するための情報であって、各ＩＣタグ４に固有の顧客ＩＤを記憶することができる記憶部である。
【００５２】
送受信処理部４２は、リーダ２ｂとの間で、データの送受信を行うための処理部である。
この送受信処理部４２は、リーダ２ｂから質問信号や書込要求信号を受信したり、情報処理部４３からの指示に基づいて、顧客ＩＤをリーダ２ｂに送信したりする。
【００５３】
情報処理部４３は、リーダ２ｂからの質問信号に基づいて、識別情報記憶部４１から顧客ＩＤを取得し、送受信処理部４２によって当該顧客ＩＤをリーダ２ｂに送信させたりする処理を実行する。
【００５４】
なお、本実施形態におけるＩＣタグ４は、鍵を取り付けるためのリングなどを備えたキーホルダとして構成、あるいはキーホルダに内蔵したり、顧客が利用する携帯電話端末に内蔵したりするなど、各種、顧客が携行するのに便利な形態に構成するとよい。
【００５５】
次に、本実施形態に係る決済処理システムによる一連の処理の流れについて、図を参照して説明する。
ここではまず、顧客情報管理装置１に記憶されたカード情報を利用した決済処理に先立ち、決済処理に必要となる情報を予め登録する処理の流れを、図６及び図７を参照して説明する。
顧客が店舗等を訪れ、顧客ごとのＩＣタグ４の登録を行う場合、まず、顧客から利用するクレジットカードを提示してもらう。
そして、ＣＡＴ端末２ｃによりクレジットカードから、クレジットカード番号及び有効期限情報を含むカード情報を取得すると、信用情報管理装置３に対し、クレジットカードの有効性を確認する与信照会要求と共に、カード情報と加盟店ＩＤを送信する（Ｓ１０１）。
【００５６】
これを受信した信用情報管理装置３は、与信可否判断部３３により、カード情報と加盟店ＩＤに基づき、信用情報記憶部３１及び取引情報記憶部３２を参照して、当該カード情報に係るクレジットカードに基づく取引に対する与信の可否を判断する（Ｓ１０２）。
この与信の可否の判断結果は、通信処理部３４により、ＣＡＴ端末２ｃに対して送信される（Ｓ１０３）。
【００５７】
ＣＡＴ端末２ｃにより与信の可否の判断結果を受信した店舗端末２は、与信の可否の判断結果に応じて（Ｓ１０４）、与信が認められなかった場合には、ＰＯＳ端末２ａ上にその旨のメッセージ等を表示するなどして、一連の処理を終了する（Ｓ１０５）。
【００５８】
一方、与信が承認された場合には、ＰＯＳ端末２ａはリーダ２ｂに対し、ＩＣタグ４の顧客ＩＤの取得要求を出す（Ｓ１０６）。
これに応じてリーダ２ｂは無線機能を有効にし（Ｓ１０７）、所定の読取部にかざされたＩＣタグ４から顧客ＩＤを取得する（Ｓ１０８）。
また、リーダ２ｂは、顧客ＩＤの供給の完了により、無線機能を無効化する（Ｓ１０９）。
【００５９】
ＰＯＳ端末２ａは、カード情報と、ＩＣタグ４に格納されていた顧客ＩＤを顧客情報管理装置１に対して送信する（Ｓ１１０）。
【００６０】
これを受信した顧客情報管理装置１は、顧客のカード情報、顧客を識別するＩＣタグ４の顧客ＩＤを相互に関連付けて顧客情報記憶部１１に記憶する（Ｓ１１１）。
以上により、顧客のクレジットカードのカード情報及びＩＣタグ４の登録が完了する。
【００６１】
なお、以上のカード情報に登録の処理において、ＰＯＳ端末２ａから顧客情報管理装置１にカード情報と顧客ＩＤが送信される際、併せて店舗の加盟店ＩＤを送信させるものとしてもよい。そして、当該加盟店ＩＤに係る加盟店においては、本決済処理システムに基づくサービスの利用を顧客が承諾したものとして、承認情報記憶部１２を参照し、顧客ＩＤと当該加盟店ＩＤに関連付けて、顧客による利用の承認があった旨を登録するようにしてもよい。
【００６２】
次に、本実施形態に係る決済処理システムにより、顧客に対して商品又は役務が提供され、これに対する決済が実行されるまでの処理の流れを、図８から図１０を参照して説明する。
なお、顧客に対する本決済処理システムに基づくサービスの提供に先立って、上述したとおり、顧客のクレジットカードのカード情報及びＩＣタグ４の顧客ＩＤを顧客情報管理装置１に予め登録しておく。
【００６３】
ＰＯＳ端末２ａは、顧客が購入する商品又は役務の対価を算出したところで、当該対価に係る決済金額の決済要求を受け付けると（Ｓ２０１）、リーダ２ｂに対して、ＩＣタグ４に格納されている顧客ＩＤの取得要求を出す（Ｓ２０２）。
【００６４】
これに応じてリーダ２ｂは無線機能を有効化し（Ｓ２０３）、所定の読取部にかざされたＩＣタグ４に電波を発信し、識別情報記憶部４１に記憶されている顧客ＩＤを読み取る（Ｓ２０４）。
読み取りが終了すると、リーダ２ｂは無線機能を無効化する（Ｓ２０５）。
【００６５】
ＰＯＳ端末２ａは、カード情報の取得要求と共に、リーダ２ｂから供給された顧客ＩＤと、所定のテーブルを参照して得た自店舗の加盟店ＩＤとを顧客情報管理装置１に対して送信する（Ｓ２０６）。
【００６６】
これに応じて顧客情報管理装置１は、承認有無判別部１３により、受信した顧客ＩＤと加盟店ＩＤに基づき、承認情報記憶部１２を参照して、当該顧客ＩＤに係る顧客が、当該加盟店ＩＤに係る加盟店における、本決済処理システムに基づくサービスの利用を承認しているか否かを判別する（Ｓ２０７）。
【００６７】
承認の有無の判別の結果、承認が得られていなかった場合には、店舗端末２に対して承認を求め、承認を得るための処理に移行する（図９により後述）。
一方、承認が得られていた場合には、引き続き決済を実行するための処理を実行する（図１０により後述）。
【００６８】
まず、Ｓ２０７の処理において顧客の承認が得られていない場合に、顧客から承認を得るための処理について、図９を参照して説明する。
顧客情報管理装置１はＰＯＳ端末２ａに対して、当該店舗が属する加盟店における本決済処理システムに基づくサービス利用の顧客の承認の要求を送信する（Ｓ２０８）。
【００６９】
これに対してＰＯＳ端末２ａは、入出力処理部２３により、加盟店利用の承認要求画面を出力する（Ｓ２０９）。この承認要求画面は例えば、本決済処理システムに基づくサービスの提供について、店舗が属する加盟店における利用を承認するためのボタンを表示したものであり、顧客がこのボタンを押下することで、承認の入力が受け付けられる。
顧客から加盟店における利用の承認の入力を受け付けると（Ｓ２１０）、顧客情報管理装置１に対して、当該受け付けた承認に係る情報を送信する（Ｓ２１１）。
【００７０】
顧客情報管理装置１は、承認情報記憶部１２を参照して、顧客ＩＤと加盟店ＩＤに関連付けて、承認の日付を登録することにより、顧客による承認を登録する（Ｓ２１２）。
顧客による承認が登録されると、引き続き、決済を実行するための処理を実行する。
【００７１】
以下、Ｓ２０７の処理において承認が得られていた場合、又はＳ２０８からＳ２１２の処理において顧客からの承認が得られた場合に、最終的な決済を実行するまでの処理について、図１０を参照して説明する。
顧客情報管理装置１は、抽出処理部１４により顧客情報記憶部１１を参照して、ＰＯＳ端末２ａから受信した顧客ＩＤと関連付けられた、クレジットカード番号及び有効期限情報を含むカード情報を抽出する（Ｓ２１３）。
抽出されたカード情報は、ＰＯＳ端末２ａに対して送信される（Ｓ２１４）。
【００７２】
店舗端末２は、ＰＯＳ端末２ａによって顧客情報管理装置１からカード情報を取得すると、ＣＡＴ端末２ｃにより、信用情報管理装置３に対して、与信照会要求と共に、当該カード情報、与信要求情報、及び加盟店IDを送信する（Ｓ２１５）。なお、ここにおける与信要求情報とは、決済が必要な決済金額や、一括払いや分割払いといった支払方法など、与信が要求されている決済内容の詳細に関する情報である。
【００７３】
与信の照会を求められた信用情報管理装置３は、与信可否判断部３３により、ＰＯＳ端末２ａから受信したカード情報、与信要求情報、及び加盟店ＩＤに基づき、信用情報記憶部３１及び取引情報記憶部３２を参照して、当該カード情報に係るクレジットカードに基づく取引に対する与信の可否を判断する（Ｓ２１６）。
【００７４】
より具体的には、与信可否判断部３３は、カード情報と与信要求情報に基づき、信用情報記憶部３１に記憶されている与信情報や利用情報を参照して、クレジットカード番号により指定されたクレジットカードの有効期限が切れていないか、取引額が限度枠を超えていないか、ブラックリストに登録されていないかなど、顧客ごとの与信可否を判断する。また、与信要求情報と加盟店ＩＤに基づき、取引情報記憶部３２に記憶されている取引条件情報を参照して、分割払いが認められているかなど、加盟店ごとの与信可否を判断する。
そして、与信可否判断部３３による与信の可否の判断結果は、ＣＡＴ端末２ｃに対して送信される（Ｓ２１７）。
【００７５】
ＰＯＳ端末２ａは、与信の可否の判断結果に応じて（Ｓ２１８）、与信が認められなかった場合には、取引を続行できない旨を入出力処理部２３により表示するなどして、処理を終了する（Ｓ２１９）。
【００７６】
一方、与信が承認された場合には、精算処理部２１によって精算を実行し、レシートやカード伝票を顧客に発行する（Ｓ２２０）。
これにより決済が完了し、ＰＯＳ端末２ａから顧客情報管理装置１に対して、カード情報と決済内容情報とが送信される（Ｓ２２１）。
【００７７】
顧客情報管理装置１は、店舗から送信されてくる売上げ情報を管理し、所定のタイミングで、顧客によるクレジットカードの利用情報を一括してクレジットカード会社に提供するなど、最終的な決済に必要な処理等を行う（Ｓ２２２）。
【００７８】
以上の本実施形態によれば、顧客ＩＤとカード情報の変換処理が顧客情報管理装置１によって実行される一方、与信照会の処理は店舗端末２のＣＡＴ端末２ｃによって実行されるので、加盟店ごとに顧客情報管理装置１を設ける必要がない。また、顧客のクレジットカード情報を一度登録するだけで、取引条件の異なる複数の加盟店でも顧客ＩＤを利用して、予め登録しておいたカード情報による決済処理を行うことができ、顧客ＩＤに拡張性が持たせられている。
また、本決済処理システムに基づくサービスの利用について、加盟店ごとに顧客の承認が管理されるので、顧客の知らないところでカード情報が利用されることがなく、顧客は安心してカード情報を登録しておくことができる。
【００７９】
なお、以上の本発明の実施形態では、決済の実行に際して、ＰＯＳ端末２ａはまず、顧客が購入する商品又は役務の対価を算出して、当該対価に係る決済金額の決済要求を受け付けてから、リーダ２ｂに対して、ＩＣタグ４に格納されている顧客ＩＤの取得要求を出しているが（Ｓ２０１及びＳ２０２の処理、図８参照）、このＳ２０１の処理は他のタイミングで行うこともできる。
例えば、図１０におけるＳ２１４とＳ２１５の処理の間に行うことができる。即ち、顧客情報管理装置１からカード情報を取得した後に、顧客が購入する商品又は役務の対価を算出して、当該対価に係る決済金額の決済要求を受け付け、それから与信照会要求と共に、カード情報、与信要求情報、及び加盟店ＩＤを信用情報管理装置３に対して送信するようにしてもよい。
【００８０】
また、以上の本発明の実施形態では、与信の照会要求を行うために、ＰＯＳ端末２ａとは別にＣＡＴ端末２ｃを設けたが、本発明の別の実施形態では、ＰＯＳ端末２ａに既述したＣＡＴ端末２ｃの構成を内蔵させてもよい。
この場合、図１１に例示するとおり、ＰＯＳ端末５ａは、ＣＡＴ端末２ｃが実行する与信の照会要求の機能を与信照会部５４として備えている。この与信照会部５４は、信用情報管理装置３に対して、カード情報と加盟店ＩＤに基づく与信の可否の照会要求を送信し、その結果を受信する。
なお、精算処理部５１、通信処理部５２、及び入出力処理部５３は夫々、記述した精算処理部２１、通信処理部２２、及び入出力処理部２３に対応し、同様の機能を実現する機能部である。
【００８１】
また、本発明のさらに別の実施形態では、顧客のクレジットカードのカード情報を登録する際、ＰＯＳ端末とは別に、タブレット端末など、登録専用の可搬型端末を用いてもよい。
この場合の各端末の構成の一例を図１２に示す。
店舗端末６は、ＰＯＳ端末６ａ、リーダ６ｂ、ＣＡＴ端末６ｃ、及び可搬型端末６ｄから構成される。ＰＯＳ端末６ａは、ＰＯＳ端末２ａと同様に構成され、精算処理部６１、通信処理部６２、及び入出力処理部６３は夫々、精算処理部２１、通信処理部２２、及び入出力処理部２３に対応している。また、リーダ６ｂは、リーダ２ｂと同様に構成される。なお、ＣＡＴ端末６ｃは、ＣＡＴ端末２ｃと同様に構成されているが、ＣＡＴ端末２ｃが備えていた、クレジットカードのカード情報を取得するための読取機能は、後述の通り、可搬型端末６ｄの読取処理部６４によって実現されている。
【００８２】
可搬型端末６ｄは、CPU（Central Processing Unit）、CPUが実行するコンピュータプログラム、コンピュータプログラムや所定のデータを記憶するRAM（Random Access Memory）やROM（Read Only Memory）などのメモリによって、読取処理部６４、通信処理部６５、及び入出力処理部６６からなる機能部を備えており、無線ＬＡＮ（Local Area Network）などの無線通信網を介してＰＯＳ端末６ａやリーダ６ｂとデータ通信可能に構成されている。
【００８３】
読取処理部６４は、既述の実施形態ではＣＡＴ端末２ｃが備えていた機能であり、いわゆるクレジットカードのリーダとしての機能を果たす機能部である。これにより、クレジットカードの磁気ストライプなどを読み取って、クレジットカードのカード情報を取得することができる。
通信処理部６５は、顧客情報管理装置１や信用情報管理装置３との間で、インターネット等のネットワークＮＷを介し、所定のプロトコルに従ってデータの送受信処理を実行する処理部である。
入出力処理部６６は、詳細な顧客情報を入力したり、各種のデータを出力するためのタッチパネルなどによって構成される。
【００８４】
このような構成により、顧客のクレジットカード情報を登録する際には、店舗のスタッフが、可搬型端末６ｄを用いて行うことができる。
具体的には、顧客から、本決済処理システムに基づくサービスの利用登録を求められた際、読取処理部６４によって顧客のクレジットカードからカード情報を取得した上、ＣＡＴ端末６ｃによって与信照会を行う。与信結果が問題なかった場合には、必要に応じて顧客の氏名等の詳細な情報等を入出力処理部６６により受け付けた上、リーダ６ｂによって取得したＩＣタグ４の顧客ＩＤと、カード情報とを、顧客情報管理装置１に送信して顧客の情報を登録する。
【００８５】
このような実施形態によれば、ＰＯＳ端末６ａやＣＡＴ端末６ｃが設置等されている場所にかかわらず、可搬型端末６ｄを携帯した店舗スタッフによって、顧客から登録を受け付けることができ、便利である。また、可搬型端末６ｄに、クレジットカードからカード情報を取得するための読取処理部６４を持たせることで、顧客の目の前で顧客のクレジットカードの登録処理を行うことができ、その結果、クレジットカードの扱いについて顧客に安心感を与えることができる。
【００８６】
また、可搬型端末６ｄが備える各機能部を実現するためのアプリケーションソフトウェアは、いわゆるアプリとして所定のＷｅｂサーバからダウンロード可能に提供することで、各店舗において容易に本決済処理システムに基づくサービスを導入できる。
また、決済処理の場面において、本決済処理システムに基づくサービスに対する顧客からの承認を、可搬型端末６ｄによって取得するようにしてもよい。例えば、図９を参照して説明した処理のうち、Ｓ２０８からＳ２１１の処理、即ち、加盟店利用の承認要求の受信、加盟店利用の承認要求画面の出力及び承認の入力受付、加盟店利用の承認情報の送信を可搬型端末６ｄにおいて実行するとよい。
【００８７】
なお、以上の本実施形態において、本決済処理システムに基づくサービスに対する顧客からの承認は、ＰＯＳ端末２ａ、５ａ、あるいは可搬型端末６ｄにより、顧客からの承認の入力を受け付けるものとしたが、これに限らず、顧客から書面等に承認のサインをもらって、直接承認情報記憶部１２に登録するようにしてもよい。この場合には例えば、顧客が加盟店を利用した際、承認情報記憶部１２を参照して、顧客が承認していない加盟店を判別した上、当該未承認の加盟店に対する承認要求をレシート等に印字し、当該レシートに顧客からサイン等をもらう機会を設けるようにしてもよい。
【００８８】
また、以上の本実施形態において、顧客情報管理装置１、店舗端末２、及び信用情報管理装置３の間で送受信されるカード情報には、クレジットカード番号と有効期限情報とが含まれるものとしたが、これに限らず、取引上の取り決めに応じて、クレジットカード番号だけであってもよいし、そのほかに必要な情報を含めてもよい。
【符号の説明】
【００８９】
１      顧客情報管理装置
１１    顧客情報記憶部
１２    承認情報記憶部
１３    承認有無判別部
１４    抽出処理部
１５    通信処理部
２      店舗端末
２ａ    ＰＯＳ端末
２ｂ    リーダ
２ｃ    ＣＡＴ端末
２１    精算処理部
２２    通信処理部
２３    入出力処理部
２４    与信照会部
３      信用情報管理装置
３１    信用情報記憶部
３２    取引情報記憶部
３３    与信可否判断部
３４    通信処理部
４      ＩＣタグ
４１    識別情報記憶部
４２    送受信処理部
４３    情報処理部
５      店舗端末
５ａ    ＰＯＳ端末
５１    精算処理部
５２    通信処理部
５３    入出力処理部
５４    与信照会部
５ｂ    リーダ
６      店舗端末
６ａ    ＰＯＳ端末
６１    精算処理部
６２    通信処理部
６３    入出力処理部
６ｂ    リーダ
６ｃ    ＣＡＴ端末
６ｄ    可搬型端末
６４    読取処理部
６５    通信処理部
６６    入出力処理部
ＮＷ    ネットワーク
【図１】
2014032517.tif 000003
【図２】
2014032517.tif 000004
【図３】
2014032517.tif 000005
【図４】
2014032517.tif 000006
【図５】
2014032517.tif 000007
【図６】
2014032517.tif 000008
【図７】
2014032517.tif 000009
【図８】
2014032517.tif 000010
【図９】
2014032517.tif 000011
【図１０】
2014032517.tif 000012
【図１１】
2014032517.tif 000013
【図１２】
2014032517.tif 000014